(57)【特許請求の範囲】
【請求項１】
屋根に太陽光を電力に変換する光電変換手段を備え、高低差のない部分と高低差のある部分とを含む土地上に建てられた建造物であって、
内部に植物を育成する植物育成領域が存在し、
前記屋根には、太陽光が内部に透過する透過部と透過しない不透過部があり、かつ、同屋根の最も高い位置と最も低い位置の高さの差は、前記土地の最も高い位置と最も低い位置の差よりも小さいものであり、
前記光電変換手段は、前記不透過部に存在し、少なくとも前記土地の高低差のある部分に対して前記不透過部が透過させない太陽光を電力に変換するものであり、
前記透過部を透過した太陽光は、前記植物育成領域に射す、建造物。
【請求項２】
屋根に太陽光を電力に変換する光電変換手段を備え、高低差のない部分と高低差のある部分とを含む土地上に建てられた建造物であって、
内部で、家畜を飼育するものであり、
前記屋根には、太陽光が内部に透過しない不透過部があり、かつ、同屋根の最も高い位置と最も低い位置の高さの差は、前記土地の最も高い位置と最も低い位置の差よりも小さいものであり、
前記光電変換手段は、前記不透過部に存在し、少なくとも前記土地の高低差のある部分に対して前記不透過部が透過させない太陽光を電力に変換するものであり、
外壁は、前記家畜が通過できないものである、建造物。
【発明の詳細な説明】
【技術分野】
【０００１】
本発明は、内部で家畜を飼育するための建造物に関する。
【背景技術】
【０００２】
従来、農業と家畜業は、異なる法体系により規制されているように、別々の事業として発展してきた。業者は、基本的には、飼育環境・育成環境等をコントロール下におくようにしてきた（特許文献１、２など参照）。
【先行技術文献】
【特許文献】
【０００３】
【特許文献１】特開２０１０−１１０２７５号公報
【特許文献２】特開平８−２５６６１４号公報
【発明の概要】
【発明が解決しようとする課題】
【０００４】
しかしながら、特許文献１に記載されているように、畜産業では、太陽光は、不安定であり排除されやすい。そのため、太陽光を活用して、建物内部で植物を育成することは困難であった。このような建物では、農業・畜産業の多重的な再活性化を実現することはできない。
【０００５】
他方、農業では、太陽光は、例えばビニルハウスのように植物育成のために活用する。そのため、建物は、通常、光量を制御する構造で足り、例えば内部で家畜を飼育する等は想定されていない。
【０００６】
なお、特許文献２には、ネット状体の遮光性被覆材に太陽電池を固着することが記載されている。しかしながら、特許文献２記載の技術は、日射光量が多い場合には植物の生長・生産が阻害されるため、直達光量を一定の割合に減少させるためのものである。すなわち、特許文献２記載の技術は、動植物の育成困難な自然環境下におけるものである。よって、ネット状体の構造は、植物の育成のみによって決定される。特許文献２には、畜産業に関しては記載も示唆もされていない。むしろ、動物の生育が困難な状況下におけるものである。
【０００７】
また、電力不足も深刻である。しかしながら、発電所は、忌避施設として住民の反対運動等があり、新たに設けることは困難な状況である。
【０００８】
ゆえに、本発明は、農業又は畜産業を行いつつ、電力不足をも解決可能な建造物を提供することを目的とする。
【課題を解決するための手段】
【０００９】
本願発明の第１の観点は、屋根に太陽光を電力に変換する光電変換手段を備える建造物であって、内部に植物を育成する植物育成領域が存在し、前記屋根には、太陽光が内部に透過する透過部と透過しない不透過部があり、前記光電変換手段は、前記不透過部に存在するものであり、前記透過部を透過した太陽光は、前記植物育成領域に射すものである。
【００１０】
本願発明の第２の観点は、屋根に太陽光を電力に変換する光電変換手段を備える建造物であって、内部で、家畜を飼育するものであり、前記屋根には、太陽光が内部に透過しない不透過部があり、前記光電変換手段は、前記不透過部に存在するものであり、外壁は、前記家畜が通過できないものである。
【００１１】
本願発明の第３の観点は、第１又は第２の観点において、当該建造物は、高低差のない部分と高低差のある部分とを含む土地上に建てられたものであり、前記屋根の最も高い位置と最も低い位置の高さの差は、前記土地の最も高い位置と最も低い位置の差よりも小さいものであり、前記光電変換手段は、前記土地の高低差のある部分に対して前記不透過部が透過させない太陽光を電力に変換するものである。
【発明の効果】
【００１３】
本願発明によれば、鶏舎等の家畜を飼育したり、植物を飼育したりする建造物において、屋根の不透過部で太陽光発電を行うことにより、農業又は畜産業を行いつつ、発電することが可能になる。これにより、「多重型農業設備」ともいうべき建造物を実現することができる。特に、第３の観点にあるように、高低差のある土地であっても、植土地の有効利用を図ることが可能になる。
【００１６】
なお、本願発明において、前記植物は、果樹であってもよい。果樹であれば、光が照射されるべき領域を特定することができる。そのため、透過部の形成が容易になる。果樹は、例えば、梅の木やオリーブである。これらの樹木は、動物や日陰に強く、さらに、抗菌・殺菌作用があることから、多重型農業設備に適したものとなる。
【図面の簡単な説明】
【００１７】
【図１】本願発明の実施の形態に係る建造物１を説明する図であり、（ａ）は側面図、（ｂ）は平面図である。
【図２】本願発明に係る建造物が設置される土地の一例を示す図である。
【発明を実施するための形態】
【００１８】
以下、本願発明の実施例について説明する。ただし、本願発明は、この実施例に限定されるものではない。
【実施例】
【００１９】
図１は、本願発明の実施の形態に係る建造物１を説明する図である。図１（ａ）は、建造物１の側面図である。建造物１（本願請求項の「建造物」の一例）は、内部に、果樹１１（本願請求項の「果樹」の一例であり、果樹１１が育成する領域が、本願請求項の「植物育成領域」の一例である。）が存在する。果樹は、例えば、梅の木やオリーブである。これらの樹木は、動物や日陰に強く、さらに、抗菌・殺菌作用があることから、多重型農業設備に適したものとなる。また、建造物１の内部には、家畜（本願請求項の「家畜」の一例）が存在し、家畜を飼育するための空間である。家畜は、例えば、ニワトリである。
【００２０】
建造物１は、屋根３（本願請求項の「屋根」の一例）と、外壁５（本願請求項の「外壁」の一例）を備える。外壁５は、果樹１１が育成する領域を囲う。そして、外壁５は、例えば、金網であり、網目を家畜の大きさよりも小さくして、家畜が通過して外に出ないようにしている。なお、鳥インフルエンザ等を予防するため、野鳥の糞などが入らないように、アクリル板などを設置するようにしてもよい。また、法律上、農地として認められるためには、一見して植物を育成するスペースであることが明らかである必要がある。金網であれば、一見して農地であることが明らかとなる。
【００２１】
屋根３は、透過部７（本願請求項の「透過部」の一例）と、不透過部９1及び９2（本願請求項の「不透過部」の一例）を備える。透過部７は、太陽光が建造物１の内部に透過する部分である。透過した太陽光は、少なくとも、果樹１１が育成する領域に射す。不透過部９1及び９2は、太陽光を透過しない部分である。不透過部９1及び９2は、外壁５から張り出した部分が存在する。透過部７は、例えば金網によって、網目を家畜の大きさよりも小さくして、家畜が通過して外に出ないようにすることができる。また、鳥インフルエンザ等を予防するため、アクリル板などを設置するようにしてもよい。
【００２２】
不透過部９1及び９2には、それぞれ、太陽光パネル１３1及び１３2（本願請求項の「光電変換手段」の一例）が存在する。太陽光パネル１３1及び１３2は、不透過部９1及び９2のうち、外壁５から張り出した部分にも、設置されている。
【００２３】
例えば、透過部７を東西に連続して形成することにより、不透過部９1及び９2が存在しても、太陽光は、外壁５を透過したものも含めて果樹１１を育成する領域を射すことができる。このように、本願発明において、透過部７を、屋根３の一方の端から他方の端へ（東西に）連続して形成し、外壁５において、透過部７の下の部分は、光を透過するものとしてもよい。
【００２４】
また、屋根３は、南向きに傾斜させて、太陽光が植物育成領域に射しやすくなるとともに、太陽光発電の効率を上げるようにしてもよい。さらに、建造物１を複数設けることにより、大規模に発電して、スマートグリッドを実現することも可能になる。
【００２５】
図１（ｂ）は、建造物１の平面図である。果樹１１1及び１１2に太陽光が射すよう、透過部７が形成されている。不透過部９1及び９2には、それぞれ、太陽光パネル１３1及び１３2が存在する。
【００２６】
図２は、本願発明に係る建造物が設置される土地の一例を示す図である。太陽光発電装置は、発電効率を高めるため、平坦な土地に隙間なく設置されるのが一般的である。しかしながら、そのような土地の形状のみに依存して設置場所を選定すると、設置可能な土地が限定される。例えば山の斜面等の土地に設置することは困難になる。
【００２７】
本願発明に係る建造物は、土地の形状の変化を吸収して、太陽光発電を効率よく実現することが可能である。すなわち、図２にあるように、例えば段々畑のように、土地に高低差のある部分Ｌａと高低差のない部分Ｌｂ及びＬｃがあり、高低差のない部分Ｌｂ及びＬｃに植物を育成する領域を設ける。そうすると、土地の高低差のある部分Ｌａは、太陽光を照射しなくても、植物の育成に大きな影響はない。そのため、屋根において、高低差があり植物育成領域でない部分に対して照射する太陽光に対して、不透過部を設け、ここに太陽光発電装置を設け、太陽光発電するようにする。図２では、土地Ｌａの真上から土地Ｌａに対して照射する太陽光を考慮し、その上空の屋根の部分Ｒａを不透過部とし、ここで太陽光発電をする例を示している。
【００２８】
そして、屋根の高低差ＨＲは、土地の高低差ＨＬよりも小さくすることにより、太陽光発電を効率よく実現する。すなわち、効率よい太陽光発電を実現するためには、太陽光発電装置が平面状に広がればよく、その土地の形状のみに依存するものではない。そこで、図２の建造物１５では、太陽光発電装置を設置する屋根が、平面状に広がるようにする。屋根に高低差を設ける場合には、屋根の形状を変更してもよく、また、例えば図２にあるように、高い屋根と低い屋根を設け、高い方の屋根の軒を利用して、軒の部分に不透過部を設けて太陽光発電装置を設置し、ここで太陽光発電を行うようにしてもよい。
【符号の説明】
【００２９】
１，１５  建造物、３  屋根、５  外壁、７  透過部、９1，９2  不透過部、１１，１１1，１１2  果樹、１３1，１３2  太陽光パネル
【図１】
0005505997.tif 000002
【図２】
0005505997.tif 000003